(57)【特許請求の範囲】
【請求項１】
バーナと、そのバーナへのガス供給路に設けられ、操作ボタンの押し操作により強制的に開弁されて通電により開弁保持される安全弁と、その安全弁への通電制御を行う安全弁制御手段と、異常を検知可能な異常検知手段とを備え、前記異常検知手段が異常を検知した際には、前記安全弁制御手段が前記安全弁への通電を停止させる一方、前記バーナの再点火を可能とする異常リセット手段を設けた燃焼器具であって、
前記異常検知手段により異常を検知すると、前記安全弁制御手段は、前記異常リセット手段の実行の有無にかかわらず、前記安全弁が確実に閉弁可能な所定時間は前記安全弁への通電のみを停止させるようにしたことを特徴とする燃焼器具。
【請求項２】
異常検知手段が、バーナにより加熱される燃焼部が所定の消火温度に達したことを温度センサによって検知するものにあっては、前記消火温度の到達に伴う安全弁の閉弁後に前記バーナを再点火した場合は、所定時間だけ前記消火温度をより高い第２消火温度に切り替えるようにした請求項１に記載の燃焼器具。
【発明の詳細な説明】
【０００１】
【発明の属する技術分野】
本発明は、バーナへのガスの供給路に安全弁を備えたテーブルこんろ等の燃焼器具に関する。
【０００２】
【従来の技術】
例えばテーブルこんろにおいては、こんろ部やグリル部へのガスの供給路に安全弁が夫々設けられて、通常の燃焼時には、安全弁制御回路による通電制御で開弁保持される構成となっており、炎の立ち消えや過熱等が発生し、異常検知手段としての熱電対やサーミスタがこれを検知すると、安全弁制御回路が安全弁への通電を遮断してこれを閉弁させ、ガスの供給を停止させる。
又、このような異常発生時は、通常の燃焼制御を停止する異常時制御状態に移行するが、操作ボタンの操作によってイグナイタスイッチのＯＮ信号やコックスイッチのＯＦＦ信号等のリセット信号を得ると、異常時制御状態をリセットして再点火が可能となっている。
【０００３】
【発明が解決しようとする課題】
ところが、通電吸着状態の安全弁は、通電をＯＦＦしても吸着面の吸着力や磁気遅れ等によって瞬時に閉弁することができず、数百ｍｓ程度の遅れを生じさせる場合がある。よって、異常発生時に安全弁への通電ＯＦＦ後、安全弁が離脱する前に、上記リセット信号に相当するノイズが偶発的に入ったような場合、安全弁への通電が再開して安全弁が閉弁することなく燃焼が継続されてしまうおそれがある。
【０００４】
そこで、請求項１に記載の発明は、異常発生時の燃焼停止を確実に実行可能として安全性に優れた燃焼器具を提供することを目的としたものである。
【０００５】
【課題を解決するための手段】
上記目的を達成するために、請求項１に記載の発明は、異常検知手段により異常を検知すると、安全弁制御手段は、異常リセット手段の実行の有無にかかわらず、安全弁が確実に閉弁可能な所定時間は安全弁への通電のみを停止させるようにしたことを特徴とするものである。
又、請求項２に記載の発明は、請求項１の目的に加えて、異常検知手段が、バーナにより加熱される燃焼部が所定の消火温度に達したことを温度センサによって検知するものにおいて、安全性を確保しつつ使い勝手を向上させるために、消火温度の到達に伴う安全弁の閉弁後にバーナを再点火した場合は、所定時間だけ消火温度をより高い第２消火温度に切り替えるようにしたものである。
【０００６】
【発明の実施の形態】
以下、本発明の実施の形態を図面に基づいて説明する。
図１は、燃焼器具の一例としてのテーブルこんろ１の概略図で、こんろ部２において、４はこんろバーナで、ガス管７が接続されるバーナ本体５と、バーナ本体５の頭部に載置されるバーナヘッド６とからなり、ガス管７には、操作ボタン８の押し操作によって開弁可能なメイン弁９とマグネット安全弁１０とが設けられている。又、バーナヘッド６の中央には、鍋底温度を検知する温度センサとしてのサーミスタ１１が、バーナヘッド６の炎孔近傍には、炎を検知する熱電対１２が夫々設けられて、コントローラ１３に接続されている。１４はコントローラ１３の電源となる乾電池、１５は電池寿命を知らせるＬＥＤランプである。
一方、グリル部３においては、一対のグリルバーナ１６，１６が配置され、グリルバーナ１６，１６と接続されるガス管１７にも、操作ボタン１８の押し操作によって開弁可能なメイン弁１９とマグネット安全弁２０とが設けられている。又、グリルバーナ１６の近傍には、炎を検知する熱電対２１が設けられて、これもコントローラ１３に接続されている。
【０００７】
又、図２は、コントローラ１３の回路ブロック構成図で、ここにはマイコン２２と、安全機能を負担する専用ＩＣ２３とが設けられ、熱電対１２，２１の熱起電力は、炎検知回路２４によって増幅されて専用ＩＣに入力され、この専用ＩＣが安全弁制御回路２５を動作させてマグネット安全弁１０，２０を開閉制御する構成となっている（立ち消え安全装置）。一方、サーミスタ１１の抵抗値は、サーミスタ入力回路２６によって電圧変換されてマイコン２２に入力され、マイコン２２から専用ＩＣ２３を介して安全弁制御回路２５を動作させてマグネット安全弁１０，２０を開閉制御する構成となっている（天ぷら火災防止装置）。２７はＬＥＤランプ１５の表示回路、２８は回路内電源を作成する電源回路、２９は電圧監視回路、３０はマイコン２２からのパルス信号を得てマイコン２２の暴走を監視するパルス監視回路である。
【０００８】
以上の如く構成されたテーブルこんろ１の作動を、こんろ部２を例にして図３のフローチャートに基づいて説明する。
操作ボタン８が押されると、Ｓ１で図示しないイグナイタスイッチがＯＮすると共に、Ｓ２でメイン弁９とマグネット安全弁１０とが強制的に開弁されてこんろバーナ４へ燃料ガスが供給されると共に、イグナイタが作動してバーナヘッド６近傍の図示しない点火電極に連続放電され、Ｓ３で着火される。
こんろバーナ４が燃焼し、Ｓ４で熱電対１２の熱起電力が炎検知レベル以上に達したことが確認されると（炎検知レベルに達しないとＳ５で燃焼停止される）、Ｓ６で安全弁制御回路２５を動作させてマグネット安全弁１０に通電を行って開弁保持させ、燃焼制御を実行する（Ｓ７）。Ｓ８で再び操作ボタン８が押されると、Ｓ９でマグネット安全弁１０への通電がＯＦＦされ、こんろバーナ４が消火する。
【０００９】
一方、消火操作がなく、こんろ部２の使用中にこんろバーナ４の消し忘れや失火等の異常が発生すると（Ｓ１０）、Ｓ１１でマグネット安全弁１０への通電がＯＦＦされてマグネット安全弁１０が閉弁し、こんろバーナ４へのガスの供給が遮断されるため、こんろバーナ４は消火される。次にＳ１２では、このマグネット安全弁１０への通電ＯＦＦ状態を２秒間継続する。よって、この間に異常リセット手段として操作ボタン８が押し操作されてイグナイタスイッチがＯＮされる等のリセット信号が入力されたり、或いはリセット信号に相当するノイズが偶発的に入ったりしてもマグネット安全弁１０への通電はなされず、吸着面の吸着力や磁気遅れによって離脱が遅れることがあっても確実に閉弁する。
【００１０】
２秒待機後、Ｓ１３の判別で再点火操作に伴うイグナイタスイッチのＯＮやコックスイッチのＯＦＦ等のリセット信号が入力されると、Ｓ１４では、天ぷら火災防止装置におけるサーミスタ１１の自動消火温度の設定を第２消火温度としての２７０℃に変更し、Ｓ１５で点火制御を行ってマグネット安全弁１０を通電保持する。そして、Ｓ１６の判別で１２０秒の経過を確認すると、Ｓ１７で自動消火温度の設定を通常の消火温度としての２５０℃に切り替える。よって、１２０秒経過前は自動消火温度は２７０℃のままとなる（Ｓ１８）。
Ｓ１９の判別でサーミスタ１１の温度が自動消火温度（１２０秒経過前は２５０℃、経過後は２７０℃）に達すると、Ｓ１１に戻ってマグネット安全弁１０をＯＦＦさせ、こんろバーナ４の燃焼を停止させる。この場合もマグネット安全弁１０への通電ＯＦＦ状態は２秒間継続され（Ｓ１２）、再点火操作後の制御もＳ１３以下が繰り返される。
【００１１】
尚、天ぷら火災防止装置作動後の再点火の際に、サーミスタ１１の自動消火温度を１２０秒間だけ第２消火温度に切り替えるようにしたのは、以下の理由による。
こんろバーナ４の燃焼状態で鍋底温度が上昇し、２５０℃に達して自動消火した場合、サーミスタ１１は予熱により更に温度上昇する。ここでユーザーが更に調理を必要として直後に再点火操作を行っても、サーミスタ温度は既に２５０℃に達していることから、サーミスタ温度が低下するまで使用できず、使い勝手が悪くなってしまう。そこで、再点火の際には２分間だけ自動消火温度を２０℃高くすることで、再点火を可能としたものである。
ちなみに、再点火を必要とする調理は、フライパン等による炒め物が想定され、食材を入れたり水を足したりする調理過程から、少なくとも２分間あればサーミスタ温度は２５０℃以下に低下するため、調理を継続できる。又、天ぷら料理においては、２分間だけ自動消火温度を２７０℃としても、発火の危険性はない。
【００１２】
このように上記形態によれば、異常を検知すると、リセット信号の有無にかかわらず、マグネット安全弁１０が確実に閉弁可能な所定時間（２秒間）は通電を停止させるようにしたことで、リセット信号に相当するノイズが偶発的に入ったような場合でもマグネット安全弁１０を確実に閉弁させることができる。よって、異常発生時には確実に燃焼停止が可能となり、安全性が向上する。
又、ここでは、天ぷら火災防止装置において消火温度の到達に伴うマグネット安全弁１０の閉弁後にこんろバーナ４を再点火した場合は、所定時間（１２０秒）だけ消火温度をより高い第２消火温度（２７０℃）に切り替えるようにしているから、安全性を確保しつつこんろバーナ４の再点火を可能として使い勝手を向上させることができる。
【００１３】
尚、上記形態で、異常発生後のマグネット安全弁の通電ＯＦＦの時間を２秒間としたのは、短すぎるとマグネット安全弁が確実に閉弁できず、長すぎると逆に使い勝手を損ねるため、両者のバランスを踏まえて２秒を選択したもので、マグネット安全弁が確実に閉弁できる時間としては１秒以上とするのが望ましい。
その他、第２消火温度の設定やその温度を維持する所定時間も、２７０℃や１２０秒に限らず、適宜変更可能である。
【００１４】
【発明の効果】
請求項１に記載の発明によれば、異常検知手段により異常を検知すると、安全弁制御手段は、異常リセット手段の実行の有無にかかわらず、安全弁が確実に閉弁可能な所定時間は安全弁への通電のみを停止させるようにしたことで、異常リセット手段のリセット信号に相当するノイズが偶発的に入ったような場合でも安全弁を確実に閉弁させることができる。よって、異常発生時には確実に燃焼停止が可能となり、安全性が向上する。
請求項２に記載の発明によれば、請求項１の効果に加えて、異常検知手段が、バーナにより加熱される燃焼部が所定の消火温度に達したことを温度センサによって検知するものにあっては、消火温度の到達に伴う安全弁の閉弁後にバーナを再点火した場合は、所定時間だけ消火温度をより高い第２消火温度に切り替えるようにしたことで、安全性を確保しつつバーナの再点火を可能として使い勝手を向上させることができる。
【図面の簡単な説明】
【図１】テーブルこんろの概略図である。
【図２】コントローラの回路ブロック構成図である。
【図３】こんろ部における作動を示すフローチャートである。
【符号の説明】
１・・テーブルこんろ、２・・こんろ部、３・・グリル部、４・・こんろバーナ、１０，２０・・マグネット安全弁、１１・・サーミスタ、１３・・コントローラ、１６・・グリルバーナ、２２・・マイコン、２５・・安全弁制御回路。
【図１】
0004418933.tif 000002
【図２】
0004418933.tif 000003
【図３】
0004418933.tif 000004